(57)【要約】      （修正有）【課題】簡単に取り付けられ、装用感の向上をもたらすことが出来る便利な樹脂製メガネフレームを開発する。【構成】装用者の鼻に当接させる舌片状の鼻当部３がレンズ保持枠２の周縁部から一体的に形成されている樹脂製メガネフレームにおいて、前記鼻当部３の鼻当面４から裏面側に向かってノーズパッド足挿入用の透孔５を形成すると共に、鼻当部３の側縁から前記透孔５に直交する方向にネジ挿入孔９を形成し、前記透孔５へノーズパッド７のノーズパッド足６を挿入し、ネジ挿入孔９からネジ１０を挿入、螺合することにより、ノーズパッド７を鼻当部３に取り付けられる様にした。【選択図】図２
0003129932.tif 000002
【実用新案登録請求の範囲】
【請求項１】
装用者の鼻に当接させる舌片状の鼻当部（３）がレンズ保持枠（２）の周縁部から一体的に形成されている樹脂製メガネフレームにおいて、前記鼻当部（３）の鼻当面（４）から裏面側に向かってノーズパッド足挿入用の透孔（５）を形成すると共に、鼻当部（３）の側縁から前記透孔（５）に直交する方向にネジ挿入孔（９）を形成し、前記透孔（５）へノーズパッド（７）のノーズパッド足（６）を挿入し、ネジ挿入孔（９）からネジ（１０）を挿入、螺合することにより、ノーズパッド（７）を鼻当部（３）に取り付ける様にしたことを特徴とする樹脂製メガネフレーム。
【請求項２】
装用者の鼻に当接させる舌片状の鼻当部（３）がレンズ保持枠（２）の周縁部から一体的に形成されている樹脂製メガネフレームにおいて、前記鼻当部（３）の鼻当面（４）から裏面側に向かってノーズパッド足挿入用の透孔（５）を形成すると共に、鼻当部（３）の側縁から前記透孔（５）に直交する方向にピン挿入孔（１１）を形成し、前記透孔（５）へノーズパッド（７）のノーズパッド足（６）を挿入し、ピン挿入孔（１１）からピン（１２）を挿入することにより、ノーズパッド（７）を鼻当部（３）に取り付ける様にしたことを特徴とする樹脂製メガネフレーム。
【考案の詳細な説明】
【技術分野】
【０００１】
この考案は樹脂製メガネフレーム、詳しくは、メタルフレーム用の既存のノーズパッドを簡単に取り付けることが出来る便利な樹脂製メガネフレームに関するものである。
【背景技術】
【０００２】
メガネフレームの分野においては、メタルフレームが主流を占める様になって来ているが、セルフレームとも称されている樹脂製メガネフレームも根強い人気を保っている。
【特許文献１】なし
【非特許文献１】なし
【考案の開示】
【考案が解決しようとする課題】
【０００３】
樹脂製フレームにおいては、装用者の鼻に当接させる舌片状の鼻当部がメガネ保持枠の周縁部から一体的に形成されているが、この鼻当部はメタルフレームのノーズパッドと異なり、構造的にその位置の調整が不可能な為、メタルフレームに比べて装用者への保持機能、つまりフィット感において劣ることは否めず、装用中のズリ落ちなどが生じやすい、という問題点が存在していた。この為、鼻当部の鼻当面に摩擦係数の高いシート状のパッド材を貼り付けて、ズリ落ちを防ぐなどの対策も提案されているが、外観上違和感があるなど、問題点も多く、必ずしも満足の行くものではなかった。
【０００４】
本考案者は樹脂製メガネフレームに関する上記問題点を解決すべく研究を行った結果、既存のメタルフレーム用のノーズパッドを簡単に取り付けられ、装用感の向上をもたらすことが出来る便利な樹脂製メガネフレームを開発することに成功し、本考案としてここに提案するものである。
【課題を解決するための手段】
【０００５】
装用者の鼻に当接させる舌片状の鼻当部（３）がレンズ保持枠（２）の周縁部から一体的に形成されている樹脂製メガネフレームにおいて、前記鼻当部（３）の鼻当面（４）から裏面側に向かってノーズパッド足挿入用の透孔（５）を形成すると共に、鼻当部（３）の側縁から前記透孔（５）に直交する方向にネジ挿入孔（９）を形成し、前記透孔（５）へノーズパッド（７）のノーズパッド足（６）を挿入し、ネジ挿入孔（９）からネジ（１０）を挿入、螺合することにより、ノーズパッド（７）を鼻当部（３）に取り付けられる様にして、上記課題を解決した。又、ネジ挿入孔（９）の代わりに、ピン挿入孔（１１）を設け、このピン挿入孔（１１）にピン（１２）を挿入することにより、ノーズパッド（７）を鼻当部（３）に取り付ける様にしても良い。
【実施例】
【０００６】
図１はこの考案に係わる樹脂製メガネフレームの一実施例のノーズパッドを取り付ける前の状態の拡大斜視図、図２は同じくノーズパッドを取り付けた状態を示した図１における矢視Ｘ−Ｘ線拡大断面図、図３はノーズパッド足挿入用の透孔５とネジ挿入孔９との位置関係を説明する為、要部のみを抽出して描いた説明図である。
【０００７】
図中１は、樹脂製メガネフレームの本体であり、一対のレンズ保持枠２の周縁部からは、装用者の鼻に当接させる為の舌片状をなした鼻当部３が一体的に形成されている。そして、この鼻当部３の鼻当面４の中央からは裏面側に向かって四角柱状をなしたノーズパッド足挿入用の透孔５が形成されている。なお、この透孔５はノーズパッド７が揺動出来る様に、ノーズパッド足６の寸法より大きめに形成されている。ノーズパッド足６とは、ノーズパッド７の裏面に植設されているノーズパッド取り付け用の柱状体であり、その中間部分には左右側壁間を貫通した枢支用横孔８が形成されている。
【０００８】
更に、鼻当部３の後方側、即ち装用者の顔面に対向した側の周縁からは、その肉厚内を前記透孔５に直交する方向へ向かったネジ挿入孔９が形成されており、透孔５の軸心Ａとこのネジ挿入孔９の軸心Ｂは、図３に示す様に、鼻当部３の肉厚内において直角に交っている。
【０００９】
この樹脂製メガネフレームは上記の通りの構成を有するものであり、メタルフレーム用の既存ノーズパッド７を用意し、そのノーズパッド足６を鼻当部３の鼻当面４から透孔５に挿入し、一方、鼻当部３の周縁に形成されたネジ挿入孔９にノーズパッド取り付け用のネジ１０を挿入し、ノーズパッド足６の枢支用横孔８を貫通させた状態で、ネジ止めする。
【００１０】
次に、図４はこの考案に係る樹脂製メガネフレームの他の実施例を示したものであり、この実施例においては、ネジ挿入孔９の代わりに、同じ位置にピン挿入孔１１が形成されており、このピン挿入孔１１にピン１２を挿入し、ノーズパッド足６の枢支用横孔８を貫通させて、このピン１２によってノーズパッド足６を枢支せしめる様になっている。他の部分は前記実施例と全く同じであり、同一符号を付して説明を省略する。
【００１１】
上記各実施例の様に構成することにより、ノーズパッド７は鼻当部３に揺動自在に枢支されるので、ノーズパッド７がそれ自体有する弾性、摩擦力、揺動運動機能は、樹脂製メガネフレームにおいても十分に発揮され、メタルフレームの場合と同じ様に、このメガネフレームを装用者に確実にフィットさせることが可能となる。なお、ノーズパッド７自体は互換性を有しており、ノーズパッド足６は一定規格に沿った寸法を有しているので、装用者は既存のノーズパッド７を好みに応じて容易に付け換えることが可能で、単にフィット感の向上だけではなく、ノーズパッド７の取り替えによりメガネフレームの外観上の変化も楽しむことが出来、すぐれた実用的価値を有するものである。
【図面の簡単な説明】
【００１２】
【図１】この考案に係る樹脂製メガネフレームの一実施例のノーズパッド７を取り付ける前の状態の拡大斜視図。
【図２】同じく、ノーズパッド７を取り付けた状態を示した図１における矢視Ｘ−Ｘ線拡大断面図。
【図３】ノーズパッド足挿入用の透孔５とネジ挿入孔９との位置関係を説明する為、要部のみを抽出して描いた説明図。
【図４】他の実施例の要部の説明図。
【符号の説明】
【００１３】
１    本体
２    レンズ保持枠
３    鼻当部
４    鼻当面
５    透孔
６    ノーズパッド足
７    ノーズパッド
８    枢支用横孔
９    ネジ挿入孔
１０    ネジ
１１    ピン挿入孔
１２    ピン
【図１】
0003129932.tif 000003
【図２】
0003129932.tif 000004
【図３】
0003129932.tif 000005
【図４】
0003129932.tif 000006